(57)【要約】【課題】論理フィルタを設けて必要なシリーズデータを簡単に選別できるようにした医用データ処理装置を提供する。【解決手段】撮影装置によって取得した画像データとその付帯情報を含む医用データを保管するデータベースと、データベースに保管された医用データから付帯情報を基にリスト情報を生成するリスト情報生成部と、医用データに含まれるシリーズデータを予め設定した区分に従ってシリーズ分けするためのフィルタ情報を記憶する記憶部と、フィルタ情報及びリスト情報を基にシリーズデータを選別し、選別したシリーズデータのリストを表示部に表示するフィルタリング部とを備える。【選択図】図１１
2010035861.tif 000002
【特許請求の範囲】
【請求項１】
撮影装置によって取得した画像データとその付帯情報を含む医用データを保管するデータベースと、
前記データベースに保管された医用データから前記付帯情報を基にリスト情報を生成するリスト情報生成部と、
前記医用データに含まれるシリーズデータを予め設定した区分に従ってシリーズ分けするためのフィルタ情報を記憶する記憶部と、
前記フィルタ情報及び前記リスト情報を基に前記シリーズデータを選別し、選別したシリーズデータのリストを表示部に表示するフィルタリング部と、
を具備したことを特徴とする医用データ処理装置。
【請求項２】
前記シリーズ分けは、前記撮影装置による撮影開始前に予め撮影用途に応じて区分し、前記シリーズ分けの情報を前記フィルタ情報として前記記憶部に記憶することを特徴とする請求項１記載の医用データ処理装置。
【請求項３】
前記フィルタリング部によって選別したシリーズデータにアプリケーションを関連付けするアプリケーション関連付け部を有し、
前記選別したシリーズデータの情報を前記アプリケーションに渡して起動することを特徴とする請求項１記載の医用データ処理装置。
【請求項４】
前記アプリケーション関連付け部は、前記選別したシリーズデータの収集状況に応じて前記アプリケーションの起動可否を前記表示部に表示することを特徴とする請求項３記載の医用データ処理装置。
【請求項５】
前記アプリケーション関連付け部は、関連付けされていないシリーズデータを前記表示部に表示可能にしたことを特徴とする請求項３記載の医用データ処理装置。
【請求項６】
撮影装置によって取得した画像データとその付帯情報を含む医用データをデータベースに保管し、
前記データベースに保管された医用データから前記付帯情報を基にリスト情報を生成し、
前記医用データに含まれるシリーズデータを予め設定した区分に従ってシリーズ分けするためのフィルタ情報と、前記リスト情報とを基に前記シリーズデータを選別し、
選別したシリーズデータのリストを表示部に表示することを特徴とする医用データ処理方法。
【請求項７】
前記シリーズ分けは、前記撮影装置による撮影開始前に予め撮影用途に合わせて区分し、前記シリーズ分けの情報を前記フィルタ情報として記憶部に記憶することを特徴とする請求項６記載の医用データ処理方法。
【請求項８】
前記選別したシリーズデータにアプリケーションを関連付け、
前記選別したシリーズデータの情報を前記アプリケーションに渡して起動することを特徴とする請求項６記載の医用データ処理方法。
【請求項９】
前記選別したシリーズデータの収集状況に応じて前記アプリケーションの起動可否を表示部に表示することを特徴とする請求項８記載の医用データ処理方法。
【請求項１０】
関連付けされていないシリーズデータを前記表示部に表示することを特徴とする請求項８記載の医用データ処理方法。
【発明の詳細な説明】
【技術分野】
【０００１】
本発明は、Ｘ線ＣＴ装置やＣＴ−ＰＥＴ装置などの撮影装置で取得した画像データの保存処理や表示処理を行う医用データ処理装置及び医用データ処理方法に関する。
【背景技術】
【０００２】
一般に、医療機関では、Ｘ線ＣＴ装置（Ｘ線コンピュータトモグラフィ装置）、ＣＴ−ＰＥＴ（Positron Emission CT）装置、ＭＲＩ装置（磁気共鳴イメージング装置）等の医用画像診断装置が使用されている。これらの医用画像診断装置によって撮影された画像データは、データベース内に保存され、画像ビューア装置（以下、ファイルビューアと呼ぶ）や端末装置を用いて解析、観察できるようにしている。
【０００３】
例えば、ファイルビューアでは、画像データを検査リスト、シリーズリスト、画像リスト、患者リスト等の階層毎に表示できるようにしている。またリストには、患者名やコメント、モダリティ名（ＣＴやＰＥＴ等）、画像種等の詳細な項目が表示され、それらを基にユーザ(医師等)が必要なデータを選別することができる。
【０００４】
特許文献１には、画像処理装置について記載されている。この例では、被検体の体軸方向の位置情報に基づいて複数の領域を設定し、設定された領域に対応して画像リストのシリーズを設定し、設定したシリーズに画像データを振り分けて登録するようにしている。
【０００５】
またファイルビューアには、検索やソート等の機能が備わっており、キーワードを基に必要な画像や各種データをソートしたり、指定したデータを検索することができる。例えば、ＣＴ−ＰＥＴ装置のアプリケーションでは、データベース内に保存されているシリーズリストから必要なシリーズデータ（ＰＥＴデータとＣＴデータ）を選択して、フュージョン（ＣＴ画像とＰＥＴ画像の重ね合わせ表示）を行ったりする。
【０００６】
ところで、従来のＸ線ＣＴ装置では、３Ｄ表示や４Ｄ表示を目的とした画像データの収集が可能になっており、さらに多列化により画像枚数が増加している。このため、一回の撮影枚数が数百枚から数千枚になることもある。これらの画像データは、検査データ内でシリーズと呼ばれる階層構造に分割している。
【０００７】
しかしながら、このシリーズ分割の概念は各社毎、或いはソフトウェアバージョン毎に異なっている。またユーザ指定によりシリーズ分けを行うにしても、シリーズ階層のデータが数百シリーズもあるため、分割が困難であったりする。また臨床アプリケーションで使用すべきデータが複数のシリーズにまたがっていたり、保存すべきデータがどのデータなのか不明だったりするため、画像データの選別作業は複雑化している。
【０００８】
さらに、撮影装置毎に撮影内容（単純撮影、３Ｄ用等）や、検査内容（頭部、腹部等）が異なるため、シリーズ分けが変わると必要なデータの判断が困難になり、技師や医師の入れ替え（交代）によってもシリーズ分けの方法や撮影画像データの種類が異なり、保存してある画像データの確認や引継ぎ等が必要になる。
【特許文献１】特開２００６−６８４４４号公報
【発明の開示】
【発明が解決しようとする課題】
【０００９】
従来のＸ線ＣＴ装置では、シリーズ分割の概念が各社毎、或いは技師や医師によって異なるため、画像データの選別作業が複雑化していた。
【００１０】
本発明は上記事情に鑑みて成されたもので、シリーズデータを抽出するために論理フィルタを設け、簡単に選別できるようにした医用データ処理装置及び処理方法を提供することを目的とする。
【課題を解決するための手段】
【００１１】
請求項１記載の本発明の医用データ処理装置は、撮影装置によって取得した画像データとその付帯情報を含む医用データを保管するデータベースと、前記データベースに保管された医用データから前記付帯情報を基にリスト情報を生成するリスト情報生成部と、前記医用データに含まれるシリーズデータを予め設定した区分に従ってシリーズ分けするためのフィルタ情報を記憶する記憶部と、前記フィルタ情報及び前記リスト情報を基に前記シリーズデータを選別し、選別したシリーズデータのリストを表示部に表示するフィルタリング部と、を具備したことを特徴とする。
【００１２】
また、請求項６記載の本発明の医用データ処理方法は、撮影装置によって取得した画像データとその付帯情報を含む医用データをデータベースに保管し、前記データベースに保管された医用データから前記付帯情報を基にリスト情報を生成し、前記医用データに含まれるシリーズデータを予め設定した区分に従ってシリーズ分けするためのフィルタ情報と、前記リスト情報とを基に前記シリーズデータを選別し、選別したシリーズデータのリストを表示部に表示することを特徴とする。
【発明の効果】
【００１３】
本発明によれば、Ｘ線ＣＴ装置やＣＴ−ＰＥＴ装置で撮影されたデータから使用用途に合ったシリーズデータを選別して解析を行うことができる。またアプリケーションボタン（アイコン）を選択操作するだけで、目的の検査をスムーズに実施することができる。
【発明を実施するための最良の形態】
【００１４】
以下、この発明の一実施の形態について図面を参照して詳細に説明する。
【実施例１】
【００１５】
図１は、本発明の医用データ処理装置が適用された医用画像診断装置１００のブロック図である。
【００１６】
図１において、１００は医用画像診断装置（モダリティ）であり、Ｘ線ＣＴ装置や、ＣＴ−ＰＥＴ装置（Ｘ線ＣＴ装置とＰＥＴ装置からなる）等で構成される。医用画像診断装置１００は、撮影装置１０と操作端末２０を有する。Ｘ線ＣＴ装置の場合、撮影装置１０は架台(ガントリ)と寝台等を有し、架台内にはＸ線管、Ｘ線検出器等が含まれる。撮影装置１０では、被検体を撮影し画像データを生成する。
【００１７】
操作端末２０はコンピュータシステムであり、本発明の医用データ処理装置を構成する。操作端末２０のバスライン２０１上には、撮影装置１０からの画像データが送られる。このバスライン２０１には、システム制御部２１、入力部２２、表示部２３、データベース２４が接続されている。またバスライン２０１には、再構成処理部２５、画像データ処理部２６が接続されている。
【００１８】
システム制御部２１はホストコントローラとして機能し、操作端末２０の各部の動作や、撮影装置１０の架台や寝台を制御する。入力部２２はキーボード、マウス等を有し、ユーザ（医師、技師等）によって操作され、画像撮影を行う際に各種の設定を行う。また、患者の状態や検査方法等の各種情報を入力するものである。表示部２３は、液晶ディスプレイ等で構成される。
【００１９】
またデータベース２４は、システム制御部２１及び画像データ処理部２６の制御のもとに画像データを含む医用データを記憶する。再構成処理部２５はボリュームデータから関心領域を抽出し、３Ｄ、４Ｄ等の画像データを再構成するものである。再構成処理により、ＭＰＲ画像（Multi Planer Reconstruction）が得られ、このＭＰＲ画像を基に３Ｄ画像データ等が作成される。
【００２０】
画像データ処理部２６は、データベース２４に保存されたデータまたは再構成したあとの画像データを処理し、表示部２３に表示するものである。画像データには、患者ＩＤ、患者名、年齢、性別、検査部位等の付帯情報が付されてデータベース２４に保存され、付帯情報を基に各種の検索を行うことができる。
【００２１】
また画像データ処理部２６は、検査リスト、シリーズリスト、画像リスト、或いは患者リストの作成処理を行うとともに、ユーザ（医師、技師、オペレータ等）の要求によってデータベース２４に保存された医用データを読出し、各種の診断用の情報を表示部２３に表示する。
【００２２】
またバスライン２０１には、ネットワークインタフェース２７が接続され、ネットワーク（図示せず）に接続可能になっている。ネットワークには、他の画像診断装置や、ファイルサーバ、画像観察端等が接続されている。撮影装置１０で撮影された画像データは、ネットワークインタフェース２７を介してＰＡＣＳ（Picture Archiving and Communication System）等のファイルサーバに格納することもできる。
【００２３】
次に本発明の医用データ処理装置の動作を表示部２３での表示例を参照しながら説明する。一般に、Ｘ線ＣＴ装置やＣＴ−ＰＥＴ装置等の医用画像診断装置（モダリティ）で収集した画像データは、リストとして登録される。このリストは、例えば検査リスト、シリーズリスト、画像リストの３階層構造で構成されている。
【００２４】
検査リストは、検査毎のファイルのリストであり、例えば被検体毎に作成される。シリーズリストは、検査に属する画像の種類毎に作成されるファイルのリストであり、例えばモダリティ毎に作成される。画像リストは、シリーズに属する画像毎のファイルのリストであり、例えばＸ線ＣＴ装置で１０枚の断層画像を撮影したとすれば、その画像データがＸ線ＣＴ装置というシリーズに１０画像分蓄積される。上記リストの中から必要とする画像データを抽出する場合は、表示部２３にリストを表示し、そのリストから必要なものを選択する。
【００２５】
図２は、表示部２３に表示されたリストの一例を示しており、検査リスト３１、シリーズリスト３２、画像リスト３３の３階層のリストを表示し、このリスト表示から、検査すべきデータを選択する。検査リスト３１の中で、いずれかの患者が選択されると、その患者のシリーズリストと３２と、画像リスト３３が表示され、画像リスト３３の中のいずれかの画像を指定すると、画像表示欄３４に選択した画像が表示される。
【００２６】
しかしながら、実際には一回に数百枚から数千枚の撮影を行うことがあるため、単純なシリーズ分けでは必要な画像データを抽出するのに時間がかかってしまう。そこで本発明では、論理フィルタを用いてフィルタリングを行い、必要な画像データをより素早く選択できるようにした点に特徴がある。
【００２７】
即ち、図２においては論理フィルタをかけるため、例えば検査リスト３１とシリーズリスト３２の間にフィルタボタン(アイコン)３５を用意し、「全て」、「フィルム」、「３Ｄ」、「４Ｄ」、「ＰＥＴフュージョン」といったフィルタボタン３５１〜３５５を表示し、このフィルタボタン３５のいずれかをユーザが選択できるようにしている。
【００２８】
通常時は、「全て」のファイルボタン３５１を選択することで全てのシリーズデータを表示し、管理するようにしているが、例えば「ＰＥＴフュージョン」ボタン３５５を選択すると、ＰＥＴフュージョンに関連付けられたシリーズデータが表示される。
【００２９】
仮に、全てのシリーズリストが１００件あったとすると、「ＰＥＴフュージョン」のフィルタリングを行うと、ＰＥＴデータとＣＴデータが保存されている検査内から、フュージョンに必要なシリーズデータ（ＰＥＴデータとＣＴのアキシャルデータ）のリストのみが表示される。また、画像リストもフュージョンに必要な画像リストのみが表示される。
【００３０】
論理フィルタによるフィルタリング方法としては２種類ある。第１のフィルタリングは、データベース２４内のシリーズを判別する設定ファイルを使用する方法である。これは、付帯情報（患者名、患者ＩＤ、検査ＩＤ、シリーズＩＤ、再構成関数、装置名、造影剤の有無、スキャン番号、モダリティ名、画像種等）を基にしたフィルタリングであり、ほかに装置固有、各社固有のプライベートデータを基にフィルタリングすることもできる。
【００３１】
これらは検索キーを複雑に設定したものと言え、多くのデータを対象にフィルタリングを行うことができる。装置毎にシリーズ分けの方法が変更された場合や、ソフトウェアの仕様によりシリーズが複数に分かれても、この設定ファイルに記述することでシリーズリストの情報を自動的に判別して作成することができる。したがって、限られたエリアでリスト表示するのに適している。
【００３２】
第２のフィルタリングは、スキャンプランの撮影モードに対応したフィルタリングである。ＣＴの撮影では、複数種の撮影（スキャン）を合わせて一つの検査を行う。例えばＣＴ検査を行う場合は、先ずスキャノ撮影を行って撮影位置を決める。スキャノ撮影は、Ｘ線管の回転角度を固定した状態でＸ線を照射しながら被検体を体軸方向に移動して撮影するもので、スキャン範囲を決める際に行う撮影方法である。そして、決められた撮影位置に対して、単純撮影や、ヘリカル撮影、さらにはワイドボリューム（Ｗ−Ｖｏｌｕｍｅ）撮影等を行う。
【００３３】
第２のフィルタリングは、上記の一連の撮影にて発生したシリーズデータを予め設定した区分に従ってシリーズ分けする方法である。例えば、「スキャノ＋単純＋ヘリカルの全て」を一つのグループとしてシリーズ分けしフィルタリングすることで、１回の検査で行われた複数のスキャンデータを一つグループデータとして扱うことができる。
【００３４】
つまり、従来は別シリーズに保存されていたため、データを見ないと関連性が不明であったが、スキャン実施時に予めシリーズ間の関連付け（フィルタリング）がされるため、フィルタをかけることで一つのグループとして判断できる。
【００３５】
上記の例では、「スキャノ＋単純＋ヘリカル」を一つのグループとしたが、シンプルなケースとしては、「スキャノ＋単純」や、「スキャノ＋ヘリカル」を一つのグループとしてシリーズ分けすることもできる。
【００３６】
上記の第２のフィルタリングによるシリーズ分けの例を、図３を参照して説明する。図３（ａ）は、ＣＴ検査において、「スキャノ撮影」、「単純撮影」、「ヘリカル撮影」の３つのスキャンモードで撮影したときの画像データの用途を例示している。用途としてフィルム用と３Ｄ用の２種類を揚げている。
【００３７】
即ち、図３（ａ）において、スキャノ撮影は位置決め用であるためフィルム用と３Ｄ用に使用され、単純撮影はフィルム用に使用されるが、３Ｄ用には使用されない。また、ヘリカル撮影はフィルム用には使用されず、３Ｄ用に使用されることを示している。
【００３８】
したがって、例えば図３（ｂ）で示すように、ＣＴ検査において、「スキャノ撮影」と「単純撮影」と「ヘリカル撮影」の３回のスキャンモードで撮影したデータを一つのシリーズデータとしてグループ化することができる。
【００３９】
また図３（ｃ）で示すように、「スキャノ撮影」と「単純撮影」のスキャンモードで撮影したデータをフィルム用のシリーズデータとしてシリーズ分けすることができる。さらに図３（ｄ）で示すように、「スキャノ撮影」と「ヘリカル撮影」のスキャンモードで撮影したデータを３Ｄ用のシリーズデータとしてシリーズ分けすることもできる。
【００４０】
図２のフィルタボタン３５の、「全て」、「フィルム」、「３Ｄ」、「４Ｄ」、「ＰＥＴフュージョン」といったフィルタボタン３５１〜３５５は、第２のフィルタリングによるシリーズ分けを実行するためのアイコンとして機能する。
【００４１】
こうして、図２の「全て」のフィルタボタン３５１が選択されると、図３（ｂ）のスキャノ撮影、単純撮影、ヘリカル撮影のシリーズデータが選別され、そのシリーズリスト３２が表示される。一方、図２の「フィルム」のフィルタボタン３５２が選択されると、図３（ｃ）のスキャノ撮影、単純撮影のシリーズリスト３２のみが表示される。さらに図２の「３Ｄ」のフィルタボタン３５３が選択されると、図３（ｄ）のスキャノ撮影、ヘリカル撮影のシリーズリストのみが表示される。
【００４２】
こうして、スキャノ撮影、単純撮影、ヘリカル撮影の３シリーズを、フィルム用のシリーズデータと、３Ｄ用のシリーズデータの２つに分けることができる。実際にデータベース２４内に保存されているデータは、「スキャノ撮影＋単純撮影＋ヘリカル撮影」の３シリーズであり、スキャノ撮影分のデータだけが両方のシリーズに関連付けられることになる。
【００４３】
図４は、撮影実行時の論理フィルタの定義の仕方を説明する図である。図４は、スキャン実行画面の一例を示し、スキャノ画像を撮影する場合の設定画面を示している。
【００４４】
図４において、４１はスキャノ撮影の設定画面であり、撮影位置の設定（位置決め）等を行う際に利用する。４２は撮影画像を示している。また４３は、スキャンモードの設定画面であり、「スキャノ撮影」、「単純撮影」、「ヘリカル撮影」、「ボリューム撮影」等のスキャンモードの中から撮影モードを選択するものである（図４では「スキャノ撮影」のモードが選択された例を示しでいる）。
【００４５】
また４４は論理フィルタ設定用の画面であり、撮影画像がどのような用途に使用されるかを予め設定するものである。ここでは、「位置決め」、「フィルム」、「３Ｄ」等の中から用途を選択する。例えば「スキャノ撮影」を行う場合は、「位置決め」、「フィルム」、「３Ｄ」のすべてを選択することで、撮影した画像データは、位置決め用、フィルム用、３Ｄ用として定義することができる。
【００４６】
先に述べた第１のフィルタリングでは、付帯情報に登録してあるデータを検索し、予め決めておいたプロトコル名と一致するものを選別する。スキャノ撮影のシリーズを特定する場合は、例えば「SERIES-SCANO」というプロトコル名をつけておき、「SERIES-SCANO」をキーとして検索する。そして、この条件に合致したシリーズデータを「スキャノ撮影で発生したシリーズ」であると判断する。
【００４７】
このシリーズデータに、さらに「単純撮影で発生したシリーズ」に相当するプロトコル名をつけておき、そのプロトコル名をキーとして検索すれば、「スキャノ撮影で発生したシリーズ」と「単純撮影で発生したシリーズ」を判断することができる。プロトコル名は、付帯情報に含まれていればよく、様々な情報をプロトコル名として使用することができる。
【００４８】
そして第２のフィルタリングにより、例えば「フィルム」ボタン３５２が選択されると、スキャノ撮影で発生したシリーズデータと、単純撮影で発生したシリーズデータをフィルム用として選別することができ、表示部２３にはスキャノ撮影とＣＴ撮影のシリーズリストのみが表示される。
【００４９】
また、ＣＴ−ＰＥＴ装置のように別モダリティのデータを使用してフュージョン解析をする場合は、図２のフィルタボタン３５に「ＰＥＴフュージョン」のフィルタボタン３５５が追加される。
【００５０】
即ち、図５（ａ）で示すように、ＣＴ−ＰＥＴ検査では、「スキャノ撮影」と「ＣＴ撮影」と「ＰＥＴ撮影」の３回のスキャンモードで撮影したデータを一つのシリーズデータとしてグループ化する。
【００５１】
また図５（ｂ）で示すように、「スキャノ撮影」と「ＣＴ撮影」のスキャンモードで撮影したデータをフィルム用のシリーズデータとしてシリーズ分けすることができる。さらに図５（ｃ）で示すように、「スキャノ撮影」と「ＣＴ撮影」と「ＰＥＴ撮影」のスキャンモードで撮影したデータをＰＥＴ−フュージョン用のシリーズデータとしてシリーズ分けすることもできる。
【００５２】
したがって、図２の「ＰＥＴフュージョン」のフィルタボタン３５５が選択されると、リスト表示画面には、スキャノ撮影、ＣＴ撮影、ＰＥＴ撮影のシリーズデータが選別され、そのシリーズリスト３２が表示される。
【００５３】
図６は、フィルタリングの定義を示し、各種のスキャンモードと用途の一覧を示したものである。例えばフィルム１用としては、スキャノＣＴ撮影と単純撮影によるデータを用い、フィルム２用としては、スキャノＣＴ撮影と造影撮影によるデータを用いる。そのほか、３Ｄ用、４Ｄ用、ＭＰＲ用、ＰＥＴフュージョン用として、それらに適した撮影方法が定義されている。また、ユーザフィルタ１，２のようにユーザ個々に定義することもできる。
【００５４】
このように、論理フィルタを適用することにより、複数のシリーズを用途別にシリーズ分けすることができ、目的の検査データ（フィルミングや３Ｄ、ＰＥＴフュージョン等）を選別することが容易になる。
【実施例２】
【００５５】
次に本発明の第２の実施形態について説明する。第２の実施形態は、シリーズデータとアプリケーションソフトの関連付けを行い、シリーズデータの選択とアプリケーションソフトの選択を容易にしたものである。
【００５６】
即ち、第１の実施形態で述べたフィルタ機能を備え、さらにそのフィルタで定義されたシリーズデータを読み込んで各種の処理を実行するソフトウェアを直ちに起動できるようにしたものである。アプリケーションソフトは各種のデータを加工するソフトウェアであり、一般に「アプリケーション」と呼ばれるため、以下の説明では単にアプリケーションと言う。
【００５７】
例えば、ＣＴ−ＰＥＴ検査の場合は、ＣＴデータとＰＥＴデータの両方を収集すると、次はフュージョンを行って画像解析することになる。従来の処理の流れでは、ユーザが解析に必要なアプリケーションを起動して画像データを読み込ませているが、前述したフィルタ機能を備えることで検査に必要なシリーズデータの選別は自動的に行われる。
【００５８】
そしてフィルタリングされたシリーズデータに対してアプリケーションを予め関連付けしておくことで、「シリーズデータの選択」と「アプリケーションの選択」を容易に行うことができる。
【００５９】
図７は、検査リストとアプリケーションボタンの表示例を示している。図７において３１は表示部２３に表示された検査リストであり、３６はアプリケーションボタン（アイコン）、３７はリストとアプリケーションの切替ボタンである。切替ボタン３７をマウスで選択してクリックすることで、図７のアプリケーション表示画面から図２のリスト表示画面に切り替えることができる。
【００６０】
即ち図２においては、論理フィルタをかけるため、「全て」、「フィルム」、「３Ｄ」、「４Ｄ」、「ＰＥＴフュージョン」といったフィルタボタン３５１〜３５５を表示し、このフィルタボタン３５のいずれかをユーザが選択できるようにしている。
【００６１】
一方、フィルタリングによってシリーズデータ群が選別されると、それらのデータを使用してフィルミングや３Ｄ等のアプリケーションを起動して、画像データを処理することになる。そこで、図７では、フィルタリングに対応したアプリケーションを実行するために各種のアプリケーションボタン３６を表示するようにしている。図７では、「心臓解析４Ｄ」、「オートフィルミング」、「ＰＥＴフュージョン」、「血管解析３Ｄ」のアプリケーションボタン３６１〜３６４が表示された例を示している。
【００６２】
こうして、ユーザはフィルタリングにより選別されたシリーズデータを見ることなく、アプリケーションボタン３６１〜３６４を選択してクリックすることにより、解析等の処理を開始することができる。つまりフィルタリングしたシリーズデータ群にアプリケーションを関連付けし、フィルタリングしたシリーズデータをアプリケーションに渡し起動する。
【００６３】
上記の関連付けは、データベース２４に既に登録してあるシリーズデータに対して行われるため、デーベース２４に何も登録されていない状態ではアプリケーションボタン３６は何も表示されない。
【００６４】
尚、図７にある切替ボタン３７を選択してクリックすることで、図２と同様のリスト表示画面に切り替えることができるが、図２の表示画面にも切替ボタン３７と同様の機能ボタンを表示し、図２から図７の表示画面に切り替えられるようにすると良い。
【００６５】
図８は、第２の実施形態の変形例を示すものであり、スキャン計画段階での検査予定データの予約機能を備えたものである。
【００６６】
この例は、撮影開始時または撮影計画時に撮影予定データをあらかじめデータベース２４に登録しておき、登録した撮影予定データの種類と検査に必要なアプリケーションを割り出し、この割り出したアプリケーションを図８のようなアプリケーションボタン（アイコン）３６として表示する。
【００６７】
そして各種のデータ処理に必要なデータが完全に揃っているかどうかを定期的にデータベース２４にアクセスしてチェックし、必要なシリーズデータの収集が完了したらボタン３６を押せる状態に変化させる。図８において、アプリケーションボタン３６１，３６２，３６４は未だ押せる状態にないことを示しており、アプリケーションボタン３６３（ＰＥＴフュージョン）のみが押せる状態にあることを示している。尚、ボタン３６を押すとは、マウスでクリックすることを意味する。
【００６８】
以下、図９のフロー図を参照して上記した予約機能の動作を説明する。図９では、ＣＴ−ＰＥＴ装置で「フィルミング」と「ＰＥＴフュージョン」を行う検査例を示している。
【００６９】
図９において、ステップＳ１〜Ｓ４は、スキャン計画に沿って各種のデータを収集するステップを示しており、ステップＳ１では、ＣＴ−ＰＥＴ検査のスキャン計画（データの収集予定）をデータベース２４に登録する。ここではデータベース２４にスキャノデータと、ＣＴデータと、ＰＥＴデータが予約データとして登録されたものとする。
【００７０】
それぞれの予約データのうち、検査に必要なデータの収集が完了したものは斜線を施している。スキャン計画を決めてスキャンを開始し、次のステップＳ２でＣＴ撮影が行われると、データベース２４にスキャノデータとＣＴデータが保存された状態になる。一方、ＰＥＴデータは未収集状態であるが、スキャノデータとＣＴデータが保存されたため、「フィルミング」のアプリケーションボタン３６２は押せるようになり、フィルミングが行えるようになる。
【００７１】
次にステップＳ３でＰＥＴ撮影が行われ、データベース２４にＰＥＴデータが保存されると、「ＰＥＴフュージョン」のアイコンボタン３６３が押せるようになり、フュージョン解析ができるようになる。そしてステップＳ４でデータの収集を終了する。
【００７２】
こうして、スキャン計画を決めて撮影を実行する際には、データの収集状況に応じてアプリケーションボタンの表示形態を変えることによって、アプリケーションの起動可否を表示することができる。
【実施例３】
【００７３】
次に本発明の第３の実施形態について説明する。第２の実施形態ではアプリケーションとシリーズデータ（群）を関連付けることで、アプリケーション（解析ソフトウェア）が必要とするシリーズデータが何であるかを判別することができる。この機能を応用すれば、不要なシリーズデータも同時に判別できるため、アプリケーションボタンのポップアップ表示として、不要なシリーズリストを表示することができる。
【００７４】
例えば図５（ｂ）で示すようにＣＴ−ＰＥＴ検査では、フィルム用としてスキャノ撮影及びＣＴ撮影によって収集したデータが必要であるが、ＰＥＴ撮影による収集データは不要である。そこで第３の実施形態では、不要なデータリストを表示するようにしたものである。
【００７５】
即ち、図１０に示すように「フィルミング」のフィルタボタン３６２にマウスを移動すると、フィルミングには必要のないＰＥＴデータのシリーズリストは不要と表示する。また他のアイコンボタンにマウスを移動したときにも、不要なシリーズリストがどれかを表示する。
【００７６】
図１０では、アプリケーションボタン３６のうちの１つを選択した例を示しているが、他の２つ以上のボタン３６を選択した状態でも、不要なシリーズデータをポップアップ表示することができる。この場合は、２つ以上のアプリケーションボタン３６に関連付けされた全てのシリーズデータを表示し、そのどちらにも必要のないシリーズに対して不要表示を行う。したがって、不要なデータを削除する際の判断材料を提示することができる。
【００７７】
尚、不要データの表示例としては、ポップアップ表示以外に、他の表示方法でもかまわない。例えば、マウスの右クリックによりプルダウンメニューを表示し、そのプルダウンメニューの中から不要シリーズデータを選択して表示するようにしてもよい。
【００７８】
図１１は、画像データ処理部２６のブロック図である。画像データ処理部２６は、データベース２４へのデータの保存・読み出し等を制御してリスト表示を行う。
【００７９】
図１１において、５１はフィルタ情報(図１２で後述)を保存する記憶部であり、フィルタ情報保存／読出部５２によってフィルタ情報を書き込んだり、フィルタ情報の読み出しを行う。フィルタ情報保存／読出部５２は、フィルタリング部５３に接続しており、フィルタリング部５３には、スキャン連動フィルタ部５４とリスト情報生成部５５が接続されている。
【００８０】
スキャン連動フィルタ部５４は、スキャンプランの撮影モードに対応してフィルタを定義するもので、図４で示す論理フィルタ設定用の画面４４により撮影画像データの用途を設定する部分である。リスト情報生成部５５は、付帯情報を基にデータベース２４からリスト表示に必要な検査データ、シリーズデータ、画像データを読み込み、リスト情報を生成してフィルタリング部５３に供給する。
【００８１】
フィルタリング部５３では、図２に示すフィルタボタン３５の選択に応じて、リスト情報及びフィルタ情報を基に必要なシリーズデータを選別し、そのリスト情報を表示部２３に供給する。
【００８２】
さらにアプリケーション関連付け部５６を有している。アプリケーション関連付け部５６は、フィルタリング部５３によって選別したシリーズデータとアプリケーションを関連付けしておき、図７に示すアプリケーションボタン３６を表示するとともに、アプリケーションボタン３６の選択に応じてシリーズデータをアプリケーションに渡して起動する。
【００８３】
またフィルタリング部５３の情報をアプリケーション関連付け部５６に供給することで、図８、図９で示すようにデータの収集完了に応じてアプリケーションボタン３６の表示を変えたり、図１０で示すように不要なシリーズデータを表示することができる。
【００８４】
図１２は、記憶部５１に記憶されたフィルタ情報の一例を示している。即ち、フィルタ情報を保存した設定ファイルの内容を示したものであり、例として図２のリスト表示画面におけるファイルボタン３５２〜３５５の内容について記述してある。
【００８５】
「フィルム」の場合は、シリーズ階層のデータのうち、単純撮影データとスキャノデータがシリーズリストとして表示される。また「３Ｄ」の場合は、ヘリカルデータのみがシリーズリストとして表示され、「４Ｄ」では、Ｗ−Ｖｏｌｕｍｅデータのみがシリーズリストとして表示される。さらに、「ＰＥＴフュージョン」の場合は、ＰＥＴデータとＣＴアキシャルデータのシリーズリストが表示されることを示している。
【００８６】
以上、述べたように本発明の実施形態に係る医用データ処理装置によれば、Ｘ線ＣＴ装置やＣＴ−ＰＥＴ装置で撮影されたデータから使用用途に合ったシリーズデータを選別して解析を行うことができる。またアプリケーションボタンを選択操作するだけで、目的の検査をスムーズに実施することができる。
【００８７】
尚、以上の説明では、医用画像診断装置として、Ｘ線ＣＴ装置とＣＴ−ＰＥＴ装置を例に説明したが、ＭＲＩ装置や、Ｘ線撮影装置等の他の医用画像診断装置を用いた場合にも適用することができる。
【００８８】
また論理的なフィルタとしては、例えば「造影剤投入前のシリーズデータと造影剤投入後のシリーズデータを表示せよ」といった、検査毎に必要なシリーズデータ群を選別するものであってもよい。またデータベース２４はネットワーク上に接続されたＰＡＣＳ等を利用することもできる。
【００８９】
また本発明の実施形態は以上の説明に限定されることなく、特許請求の範囲を逸脱しない範囲で種々の変形が可能である。
【図面の簡単な説明】
【００９０】
【図１】本発明の一実施形態に係る医用データ処理装置を示す構成図。
【図２】本発明に係るリスト表示画面の一例を示す説明図。
【図３】本発明に係る論理フィルタを説明する説明図。
【図４】本発明に係る撮影実行時の論理フィルタの定義の仕方を説明する説明図。
【図５】本発明に係る論理フィルタの他の例を説明する説明図。
【図６】本発明に係る論理フィルタのさらに他の例を説明する説明図。
【図７】本発明に係るアプリケーションボタンの表示例を示す説明図。
【図８】本発明に係るアプリケーションボタンの別の表示例を示す説明図。
【図９】本発明に係る予約機能の動作を説明するフロー図。
【図１０】本発明に係る不要なシリーズデータの表示例を示す説明図。
【図１１】本発明の画像データ処理部の構成を示すブロック図。
【図１２】図１１の記憶部に保存した設定ファイルの内容を示す説明図。
【符号の説明】
【００９１】
１００…医用画像診断装置
１０…撮影装置
２０…操作端末（コンピュータシステム）
２１…システム制御部
２２…入力部
２３…表示部
２４…データベース
２５…再構成処理部
２６…画像データ処理部
２７…ネットワークインタフェース
５１…記憶部
５２…フィルタ情報保存／読出部
５３…フィルタリング部
５４…スキャン連動フィルタ部
５５…リスト情報生成部
５６…アプリケーション関連付け部
【図１】
2010035861.tif 000003
【図２】
2010035861.tif 000004
【図３】
2010035861.tif 000005
【図４】
2010035861.tif 000006
【図５】
2010035861.tif 000007
【図６】
2010035861.tif 000008
【図７】
2010035861.tif 000009
【図８】
2010035861.tif 000010
【図９】
2010035861.tif 000011
【図１０】
2010035861.tif 000012
【図１１】
2010035861.tif 000013
【図１２】
2010035861.tif 000014